(57)【要約】【課題】手指で保持すると自動的に発光、点滅を開始し、菓子等が光ったり消えたりし、操作が容易でかつ遊び心を十分に発揮できるおもちゃを提供すること【解決手段】任意色に発光するＬＥＤランプと該ＬＥＤランプを点滅させる点滅回路及び電源電池を備えた棒本体の光源部壁面を透光性のあるカバー体のおもちゃで被うと共に、前記点滅回路と前記電源電池の接点が前記棒本体の握り部壁面において分離して設けられている。【選択図】図１
0003128000.tif 000002
【実用新案登録請求の範囲】
【請求項１】
任意色に発光するＬＥＤランプと該ＬＥＤランプを点滅させる点滅回路及び電源電池を備えた棒本体の光源部壁面を透光性のあるカバー体で被うと共に、前記点滅回
路と前記電源電池の接点は前記棒本体の握り部壁面において分離して設けられ、前記棒本体の握り部を手指で保持すると、前記ＬＥＤランプが点滅発光することを特徴とするおもちゃ。
【請求項２】
前記カバー体が、冷菓子、飴、綿菓子、キャラメルのうちいずれか選ばれる１の菓子であることを特徴とする請求項１に記載のおもちゃ。
【請求項３】
前記カバー体の素材が、樹脂、紙、金属のうちいずれか選ばれる１であることを特徴とする請求項１に記載のおもちゃ。
【考案の詳細な説明】
【技術分野】
【０００１】
本考案は、手指で保持すると点滅発光して意外性を発揮するおもちゃに関する。
【背景技術】
【０００２】
従来、子供の遊び心を満足させるおもちゃには多種多様のものが有るが、特に菓子を素材としたものの中には、例えば、図６に示すような棒本体１０２の外壁に菓子１０３を被着したものであって、棒本体１０２には発光体１４１と、この発光体１４１を発光させるための電源１４２（図示せず。）と、この電源１４２のオンオフを制御する回転スイッチ１４４とを内蔵し、この棒本体１０２の外壁に透光性のある菓子１０３を取付けたものが存在する。
【０００３】
【特許文献１】特開平０５−１５３９１１
【０００４】
この菓子は、子供が棒本体１０２を手指で保持して食する場合に、スイッチ１４４をオンとすることにより発光体１４１を発光させ、その発光が棒本体１０２の外壁に被着された菓子１０３を照射する。ここで、この菓子１０３には透光性があるため、菓子１０３自体が光って見え、発光による不思議さと楽しさとをもつ菓子１０３を提供しようとするものである。
【０００５】
しかし、このような菓子を素材としたおもちゃでは、子供は発光の度にスイッチをオン、オフとする作業が必要となる。したがって、面倒くさいばかりか、店頭でいたずらされてスイッチをオンとしたまま放置されると、電源が容易に消耗して商品として販売できなくなってしまう等の実際的な問題点を有していた。
【０００６】
また、このような菓子を素材としたおもちゃは、発光体が単に発光し続けるだけで、一旦点灯してしまえばその後のおもしろさにやや欠ける面もあり、仮に、発光体を点滅させることができれば、その意外性により子供の遊び心がさらに満足できることに疑いがない。
【考案の開示】
【考案が解決しようとする課題】
【０００７】
本考案は、手指で保持すると自動的に発光、点滅を開始し、菓子などが光ったり消えたりするように見えるので、操作が容易でかつ遊び心を十分に発揮できるおもちゃを提供することを目的とする。
【課題を解決するための手段】
【０００８】
上記課題を解決するために、請求項１に記載された考案は、任意色に発光するＬＥＤランプと該ＬＥＤランプを点滅させる点滅回路及び電源電池を備えた棒本体の光源部壁面を透光性のあるカバー体で被うと共に、前記点滅回路と前記電源電池の接点は前記棒本体の握り部壁面において分離して設けられ、前記棒本体の握り部を手指で保持すると、前記ＬＥＤランプが点滅発光するおもちゃであることを特徴とする。
【０００９】
また、本考案においては、前記カバー体が、冷菓子、飴、綿菓子、キャラメルのうちいずれか選ばれる１の菓子であることが好ましい。あるいは、本考案においては、前記カバー体の素材が、樹脂、紙、金属のうちいずれか選ばれる１であることが好ましい。
【考案の効果】
【００１０】
したがって、例えば、菓子を素材とするおもちゃを食する際には、棒本体の握り部を手指で保持すると、手指に含まれる水分や人体によって、点滅回路と電源電池の接点が通電し、ＬＥＤランプが発光、点滅することで、菓子を自動的に光ったり、消えたりさせることができる。
【００１１】
また、手指を離すと、接点の通電が分断され、ＬＥＤランプの点滅発光も終了することで、電源電池の消耗を防ぐことができ、その結果、菓子を食した後にも棒本体のおもちゃとして、あるいは他の素材からなるカバー体を取り付けることで、長期にわたり使用することができる。
【考案を実施するための最良の形態】
【００１２】
以下、本考案の第１の実施の形態を図面により説明すると、図１は、本考案に係る第１おもちゃの横断面図、図２は、その正面図、図３は、その使用状態を示す図である。第１おもちゃ１０は、カバー体を菓子のアイスキャンディ１４として構成するもので、ＬＥＤランプ１６と点滅回路１８及び電源電池２０を備えた棒本体１２の上部外壁をカバー体で被うものである。
【００１３】
アイスキャンディ１４は、流動体の状態で所定の形状からなるケーシングに流入し、棒本体１２の上部のうち、特に光源体収容部１５を浸食して冷凍、固化し、所望の形状に成形する。その品質は、従来のアイスキャンディと何ら変わりがないが、おもちゃ１０を十分に光らせるという効果発揮のためには、透光性の高い色調からなる素材でなければならない。なお、同様の方法により冷凍化で固形化するアイスクリームをカバー体として使用できるのはいうまでもない。
【００１４】
一方、棒本体１２は、透明または半透明の、例えば、ＡＢＳ樹脂を素材として一体的に形成されるもので、その外形は、例えば、図３に示すようなスティック状であり、上方には光源体収容部１５、下方には握り部１９、握り部１９の略中央壁面には接点部２１ａ及び２１ｂ、握り部１９の内部には点滅回路及び電源電池収容部１７を備えている。そして、棒本体１２は、アイスキャンディ１４を食する際には同時に口中に入るものであるため、特に毒性を有しない安全性の高い素材が使用されなければならない。
【００１５】
また、光源体収容部１５には、例えば、ＬＥＤランプ１６を収容し、点滅回路及び電源電池収容部１７には、例えば、電源電池２０である乾電池を収容し、さらには、点滅回路２３を収容する。その後、例えば、縦割り分割された棒本体１２をレーザー溶着等により接合して瞬間的に密封する。
【００１６】
なお、アイスキャンディ１４は冷凍化では固形状態であるが、口の中に入れると溶解するから棒本体１２の内部に水分が侵食して、電気系統を破損しないようにその表面全体にさらにシーリング１７を施すことが好ましい。
【００１７】
一方、棒本体１２の形状は、少なくとも発光体１６、点滅回路２３、電源電池２０を収容することができるものであれば決してスティック形状にこだわるものではなく、例えば、図４（ａ）に示すような、握り部が大きく持ち易い形状からなる棒本体２２を採用することができ、この場合には、電源電池３０としてボタン電池等を収容することもできる。
【００１８】
光源収容部１５に収容された発光体１６には、例えば、白色、赤色、青色、緑色またはオレンジ色など任意色に発光するＬＥＤランプを使用でき、その趣味感を増大することができる。発光体１６は点滅回路２３に接続され、さらには一端の端子部２１ａと接続される、また、他端の端子部２１ｂは電源電池２０と接続される。
【００１９】
接点部２１ａ、２１ｂは、棒本体１２の握り部１９の外壁にプラスとマイナスのそれぞれが露出し、ちょうど人が手で握り部１９を保持した場合に接触する程度の距離に分離している。
【００２０】
したがって、人がアイスキャンディ１４を食する際に握り部１９を手で保持すると、自然と手指が両方の接点部２１ａ、２１ｂに接触し、手指の水分や人体を導電体として通電して、ＬＥＤランプの点滅発光が開始する。
【００２１】
一方、棒本体１２から手を離すと、接点部２１ａ、２１ｂは絶縁し、ＬＥＤランプの点滅も終了する。したがって、まさしくアイスキャンディ１４を食しようとすると同時に発光が開始し、手指を離すと自然に終了するのであるということから、発光体を点灯させるための特別な動作は不要で、操作が容易でかつ電源電池２０の不要な消耗を防ぐこともできる。
【００２２】
このことにより、店頭等でいたずらされて電源電池が消耗してしまう等の不都合も生じないため、長期間の在庫が可能なばかりか、アイスキャンディ１４を食した後にも電源電池２０の蓄えがある限り、例えば、図５に示すような別のカバー体、樹脂製フィギュア８０を被せることで、自然に点滅発光するおもちゃとしての使用が可能となる。
【００２３】
なお、販売時における第１おもちゃ１０の接点部２１ａ、２１ｂには、接着剤等を使用して絶縁体２４を貼り付けておけば、子供がさらにいたずらし難く、電源電池２０の消耗をさらに確実に防止できる。
【００２４】
この第１おもちゃ１０の作用について説明すると、コンビニエンスストア等の店頭等で子供がいたずらしても接点部が通電することがなく、商品として長期の在庫も可能である。また、人がアイスキャンディ１４を食するために、棒本体１２の握り部１９を手指で保持すると、発光体１６の点滅発光が開始し、透光性があるために第１おもちゃ１０自体が光っているような現象を生じ、意外性と遊び心を提供することができる。
【００２５】
以上の如く、本考案をいくつかの実施形態によって説明したが、それらを以って本考案を前記実施形態のみに限定するものではなく、その精神を逸脱しない限り種々の改変を加えて、多種多様の変更ができることはいうまでもない。例えば、菓子の素材としてアイスキャンディやアイスクリームではなく、図４（ａ）に示すような飴６０を使用した第２おもちゃ、図４（ｂ）に示すような綿菓子７０を使用した第３おもちゃ、さらにはキャラメル、グミ、ゼリー等を使用することができ、また、菓子の形状は前記したものに限定されるわけではないことはもちろんである。
【００２６】
くわえて、本考案は、前記したような樹脂製フィギュアを当初から棒本体１２に取り付けて構成するようなおもちゃ、さらにくわえて、いろいろな形状の樹脂製フィギュアが交換可能な点滅発光するおもちゃを構成するとすることで、子供の遊び心を発揮できるバラエティに富んだおもちゃを提供できる。
【図面の簡単な説明】
【００２７】
【図１】本考案に係る第１おもちゃの正面図である。
【図２】図１の中央断面図である。
【図３】本考案に係る第１おもちゃの使用状態を示す図である。
【図４】（ａ）は、本考案に係る第２おもちゃの正面図、（ｂ）は、本考案に係る第３おもちゃの正面図である。
【図５】本考案に係る第４おもちゃの正面図である。
【図６】従来の発光する菓子を示す正面図である。
【符号の説明】
【００２８】
１０  第１菓子
１１  容器
１２  遊戯体
１３  造形部
１４  アイスキャンディ
１５  光源体収容部
１５  収容室
１６  底板
１６  ＬＥＤランプ
１６  発光体
１７  電源電池収容部
１７  シーリング
１８  点滅回路
１９  握り部
２０  電源電池
２０  発光体
２１  接点部
２１  基板
２２  棒本体
２１  端子部
２２  ＬＥＤランプ
２３  電源電源電池
２３  点滅回路
２４  絶縁体
２５  点滅回路
２６  端子部
２７  接点部
２８  光拡散フィルム
２９  絶縁フィルム
３０  電源電池
５０  第２おもちゃ
５１  容器
５２  本体
５３  凹部
５４  蓋体
５５  遊戯体
５７  接点部
５８  発光体
６０  飴
７０  綿菓子
８０  樹脂製フィギュア
１０２  棒本体
１０３  菓子
１４１  発光体
１４２  電源
１４４  スイッチ
【図１】
0003128000.tif 000003
【図２】
0003128000.tif 000004
【図３】
0003128000.tif 000005
【図４】
0003128000.tif 000006
【図５】
0003128000.tif 000007
【図６】
0003128000.tif 000008